(57)【特許請求の範囲】
【請求項１】
通信ヘッドセットをヘルメットに取り付けるための装置であって、該装置は、
取付パネルであって、取付パネルの前面に座部を有し、一組の電気接点及びガイドを含有する取付パネルと、
前記電気接点に電気的に接続されているプリント回路基板と、
前記プリント回路基板に電気的に接続されるアンテナと、
前記取付パネルに貼られる細長舌部と、を含み、
前記細長舌部は、前記アンテナを支持し、かつ保護ヘルメットの内側シェル及び外側シェル間に挿入するように構成されていることを特徴とする装置。
【請求項２】
前記細長舌部は、前記プリント回路基板に電気的に接続されるアンテナを支持することを特徴とする請求項１に記載の装置。
【請求項３】
前記取付パネルに取り付けられるブームであって、該ブームは、自由端を有する、ブームと、
前記ブームの前記自由端に取り付けられるマイクロホンと、をさらに含むことを特徴とする請求項１に記載の装置。
【請求項４】
前記取付パネルは、通信ヘッドセットを前記取付パネルにスナップロック係合させるように形成され且つ位置決めされる指部を含有することを特徴とする請求項１に記載の装置。
【請求項５】
前記取付パネルは、通信ヘッドセットを前記スナップロック係合から解放するために、手動で押し下げ運動が可能なように構成されるつまみをさらに含むことを特徴とする請求項４に記載の装置。
【請求項６】
前記プリント回路基板と導電的に接触する１以上のスピーカーをさらに含むことを特徴とする請求項１に記載の装置。
【請求項７】
前記細長舌部は、前記取付パネルから離れて自由端まで延在し、前記自由端は、装置をヘルメットに固定するために、前記細長舌部の残りの平面から外への姿勢をとるように構築されることを特徴とする請求項１に記載の装置。
【請求項８】
前記細長舌部は、前記取付パネルから離れて自由端まで延在し、装置は、前記自由端に近接する前記細長舌部の少なくとも一部に貼られる弾性膨張部材をさらに含み、
前記弾性膨張部材は、装置をヘルメットに固定するために、ヘルメットによって付与される任意の圧縮力に逆らって弾性的に膨張することを特徴とする請求項１に記載の装置。
【請求項９】
前記細長舌部は、各々が保護ヘルメットの前記内側シェル及び前記外側シェル間に挿入するように構成された第１及び第２舌部面を含むことを特徴とする請求項１に記載の装置。
【請求項１０】
前記第１及び前記第２舌部面は、前記取付パネルから離れて平行にそれぞれの自由端まで延在することを特徴とする請求項９に記載の装置。
【請求項１１】
前記第１及び前記第２舌部面は、前記取付パネルから離れて異なる長さでそれぞれの自由端まで延在することを特徴とする請求項９に記載の装置。
【請求項１２】
前記細長舌部は、分岐されることを特徴とする請求項９に記載の装置。
【請求項１３】
ヘルメット取付可能通信ヘッドセットであって、
第２の装置との双方向通信を支持するように構成された無線通信装置であって、該無線通信装置は、マイクロホン及びスピーカーを有する、無線通信装置と、
前記無線通信装置に電気的に接続されるアンテナと、
前記無線通信装置に貼られた細長舌部と、を含み、
前記細長舌部は、前記アンテナを支持し、かつ保護ヘルメットの内側シェル及び外側シェル間に挿入するように構成されることを特徴とする装置。
【請求項１４】
前記細長舌部は、前記無線通信装置に電気的に接続されるアンテナを支持することを特徴とする請求項１３に記載の装置。
【請求項１５】
前記細長舌部は、各々が保護ヘルメットの前記内側シェル及び前記外側シェル間に挿入するように構成された第１及び第２舌部面を含むことを特徴とする請求項１３に記載の装置。
【請求項１６】
前記第１及び前記第２舌部面は、取付パネルから離れて平行にそれぞれの自由端まで延在することを特徴とする請求項１５に記載の装置。
【請求項１７】
前記第１及び前記第２舌部面は、取付パネルから離れて異なる長さでそれぞれの自由端まで延在することを特徴とする請求項１５に記載の装置。
【請求項１８】
前記細長舌部は、分岐されることを特徴とする請求項１７に記載の装置。
【発明の詳細な説明】
【技術分野】
【０００１】
本発明は、通信ヘッドセットのための取付装置に関し、より具体的に、保護ヘルメットと係合するように構成された通信ヘッドセットのための取付装置に関する。
【背景技術】
【０００２】
多くの型の保護ヘルメットは、多くのさまざまな産業にわたって使用されていることが認識されている。例えば、安全帽は、建設現場で働く人によって、及び重工業設備を操作する人などによって広く身に付けられている。例えば野球及びフットボールなどさまざまなスポーツに参加するスポーツ選手は、保護のためにヘルメットを同様に身に付け、ヘルメットは、プロのカーレーサーのための装備における最も重大なものの１つである。ヘルメットは、多くの軍事的状況で同様に使用される。現代社会において最も一般的に使用される保護ヘルメットの１つは、オートバイ用ヘルメットである。ほとんどのオートバイの運転手は、安全のために且つ州の及び地域の法律並びにそれらを必要とする規則に起因して、ヘルメットを身に付ける。
【０００３】
十分に公知であるように、Bluetooth（登録商標）は、無線パーソナルエリアネットワーク（ＰＡＮｓ）のための産業の規格である。Bluetoothは、安全な全世界的にライセンスされていない短距離電波周波数を通じて例えば携帯電話機、ノート型パソコン、パソコン、プリンター、ＧＰＳ受信機、デジタルカメラ及びビデオゲーム機など装置間を接続し且つ情報をやりとりするための手段を提供する。Bluetoothの最も一般的な利用の１つは、２つの装置間で音声データの転送を可能にする携帯電話機とハンズフリーのヘッドセットとの無線制御及びそれらの間の通信に関することである。
【発明の概要】
【発明が解決しようとする課題】
【０００４】
多くのBluetoothヘッドセットは、現在、消費者が入手可能である一方で、（通常、使用者の耳に取り付けられる）これらのヘッドセットは、ヘルメットを身に付けているオートバイの運転手に対して、通常、彼らが乗っている間、少しの有用性しかない。オートバイ用ヘルメットと併せてBluetoothヘッドセットを使用することを可能とするために、さまざまな試みが行われてきたが、これらの取り組みは、取付クランプの使用か、または接着性の外部アダプタの使用を必要とした。これらの解決法は、どちらも実施するために特に容易ではなく、時には複雑な装着及び／または保守手順を必要とする。
【０００５】
本明細書でなされている開示は、これらの検討などに関して示されている。
【課題を解決するための手段】
【０００６】
技術は、通信ヘッドセットをヘルメットに取り付けるための装置に対して本明細書に示される。１つの態様によると、装置は、その前面に座部を有する取付パネルを含有する。取付パネルは、一組の電気接点及びガイドを同様に含有する。さらに、電気接点に電気的に接続されているプリント回路基板が設けられ、細長舌部は、取付パネルに貼られる。舌部は、好ましくは、保護ヘルメットの内側シェル及び外側シェル間に挿入するように構成される。
【０００７】
他の態様によると、ヘルメット取付可能通信ヘッドセットが提供される。ヘッドセットは、第２の装置との双方向通信を支持するように構成される無線通信装置を含有する。無線通信装置は、マイクロホン及びスピーカーをさらに含有する。細長舌部は、無線通信装置に貼られ、且つ保護ヘルメットの内側シェル及び外側シェル間に挿入するように構成される。
【０００８】
舌部は、分岐されるか、そうでなければ自由端まで延在する複数の幅広面を有するために配置されてもよい。
【０００９】
これらの及び別の態様と特徴と利点とは、本発明のある実施形態における付随する説明から認識される。
【図面の簡単な説明】
【００１０】
【図１】本明細書に開示される１つの実施形態による通信ヘッドセットを取り付けるための装置の例示的な略図である。
【図２】保護ヘルメット内に挿入されている通信ヘッドセットを取り付けるための装置の例示的な略図である。
【図３】完全に挿入され且つヘルメットと係合した通信ヘッドセットを取り付けるための装置を描く例示的な略図である。
【図４】ヘルメット取付可能通信ヘッドセットの例示的な略図である。
【図５Ａ】直線位置にある可撓性のある舌部を示す。
【図５Ｂ】曲げ形状にある可撓性のある舌部を示す。
【図６】それに貼られた弾性膨張部材を有する細長舌部を示す。
【図７】図１にある通信ヘッドセットを取り付けるための装置でまたは図４にあるヘルメット取付可能通信ヘッドセットでの使用に適した細長舌部の他の配置を示す。
【図８】図１にある通信ヘッドセットを取り付けるための装置でまたは図４にあるヘルメット取付可能通信ヘッドセットでの使用に適した細長舌部のさらなる配置を示す。
【図９】図１及び図４それぞれに図示される装置１００及び４０２から分かれてバッテリーパックがヘルメットに取り付けられる配置を示す。
【発明を実施するための形態】
【００１１】
以下の詳細な説明は、通信ヘッドセットをヘルメットに取り付けるための装置を対象としている。以下の詳細な説明において、参照符号は、本明細書の一部を形成する添付の図面になされ、これら図面は、具体的な実施形態または実施例を通じて解説する目的で示される。
【００１２】
これから図面を参照すると、類似の数字は、数個の図面の間中で類似の要素を表すことと、図面を参照して説明され且つ解説されるすべての構成要素及び／または手段は、すべての実施形態に必要とされるとは限らないことと、が理解される。図１は、本明細書に開示される１つの実施形態による通信ヘッドセットを取り付けるための装置１００の例示的な略図である。通信ヘッドセットを取り付けるための装置１００は、その前面に座部１０４を有する取付パネル１０２を含有する。取付パネル１０２は、装置１００及び通信ヘッドセット（図示せず）の間の通信を可能にする一組の電気接点１０６と、通信ヘッドセットの挿入及び設置を容易にするガイド１０８と、をさらに含有する。
【００１３】
取付パネル１０２は、電気接点１０６に電気的に接続されている（内部の）プリント回路基板１１０をさらに含有する。プリント回路基板は、好ましくは、プロセッサ及びメモリーを含有してもよく、装置１００を介して通信を全体的に処理するように機能する。
【００１４】
細長舌部１１２は、取付パネル１０２に貼られる。細長舌部１１２は、好ましくは、以下でより詳細に説明されるように、保護ヘルメットの内側シェル及び外側シェルの間に挿入するように構成される。さらに、１つの配置において、同様に以下でより詳細に説明されるように、細長舌部１１２は、プリント回路基板１１０に電気的に接続されるアンテナを支持する。
【００１５】
１つの配置において、自由端を有するブーム１１４は、取付パネル１０２に取り付けられる。マイクロホン１１６は、ブーム１１４の自由端に取り付けられる。ブーム１１４及びマイクロホン１１６は、双方向通信を促進するために、例えば使用者の声など音響信号を受け、それらをプリント回路基板１１０に伝送する働きをする。
【００１６】
取付パネル１０２は、通信ヘッドセットを取付パネル１０２にスナップロック係合(snap-lock engage)させるように形成され且つ位置決めされる指部を同様に含有してもよい。好ましくは、通信ヘッドセットの電気接点は、取付パネル１０２の電気接点１０６と係合し、それによって、ヘッドセット及び取付パネル１０２の間の通信を容易にする。取付パネル１０２は、好ましくは、手動で押し下げ運動が可能なように構成されるつまみを同様に含有する。つまみは、それが押し下げられるときに、通信ヘッドセットが上述されたスナップロック係合から解放されるように構成される。
【００１７】
装置１００は、プリント回路基板１１０と導電的に接触する１以上の電線１１８をさらに含有する。電線１１８は、１以上のスピーカー１２０まで延在する。動作中において、双方向通信を促進するために、電線は、回路基板１１０からの通信信号を受信し、これらの信号は、それらを可聴音に変換するスピーカー１２０に伝送される。スピーカー１２０は、保護ヘルメット内に取り付けられ、使用者の耳に近接する部分に位置決めされてもよい。上記構成は、使用者の保護ヘルメット内に音声を放出することによって、双方向通信に関与する使用者の能力を高める。
【００１８】
これから図２を参照すると、通信ヘッドセットを取り付けるための装置１００は、保護ヘルメット２００内に挿入されることが描かれる。（例えばオートバイ用ヘルメットなど）ほとんどの保護ヘルメット２００は、外側シェル２０２を含み、この外側シェルは、その中に接近して嵌め込まれた内側シェル２０４を有する。装置１００をヘルメット２００と係合させるために、細長舌部１１２は、図２に描かれるように、外側シェル２０２及び内側シェル２０４が接触する部分に挿入される。舌部は、示されるように、好ましくは、幅広面を有し、この幅広面は、外側シェル及び内側シェル間で回転することを防ぐ。そうすることで、外側シェル２０２内に内側シェル２０４を確実に嵌め込むことは、細長舌部１１２の厚さと組み合わせて、舌部１１２に圧力をもたらし、この圧力は、舌部、それによって取付パネル１０２を所定の位置に固定することに役立つ。図３は、完全に挿入され且つヘルメット２００と係合した装置１００を描く。
【００１９】
細長舌部１１２及び／または取付パネル１０２の位置及び位置決めをさらに安定させ且つ保証するために、細長舌部１１２が取付パネル１０２から離れて自由端まで延在する１つの配置において、自由端は、図５Ａ及び図５Ｂに描かれるように、舌部１１２、それによって取付パネル１０２をヘルメット２００に固定するために、舌部１１２の残りの平面から外への姿勢をとるように構成される。すなわち、自由端または舌部１０２全体が、可撓性があり、展性がある物質または材料１１３から構築される、またはこれらでコーティングされている、そうでなければこれらを含有してもよく、これらの物質または材料は、自由端がいろいろな方法で及び方向に曲げられる且つ／または形成されることを可能にする。（上述されたように）舌部１１２をヘルメット２００内に挿入する前に、または挿入するときに、使用者は、（直線構成から曲げ形態にヘルメット２００の内部の一部を留めるために、例えばそれを曲げることなどによって）舌部の形状を調整してもよく、舌部１１２及び取付パネル１０２の位置決めをさらに保証する。図５Ａは、直線位置にある舌部１１２を描く一方で、図５Ｂは、曲げ形状にある舌部１１２を描く。
【００２０】
他の配置において、細長舌部１１２の自由端は、図６に描かれるように、舌部１１２の少なくとも一部に貼られる弾性膨張部材６０２を含有する。すなわち、自由端または舌部１１２全体は、貼られた弾性／膨張物質もしくは材料から構築され、この物質もしくは材料でコーティングされ、またはこの物質もしくは材料を支持してもよく、または、自由端に貼られる弾性膨張部材６０２を有してもよく、それによって自由端が圧縮され且つ膨張されることを可能にする。（上述されるように）舌部１１２をヘルメット２００内に挿入する前に、または挿入するときに、使用者は、舌部１１２及び／または弾性膨張部材６０２の形状を（例えばそれを圧縮することなどによって）調整し、弾性材料が膨張するとすぐに（上述されたように）それをヘルメット２００内に挿入し、それによって舌部１１２及び取付パネル１０２の位置決めをさらに保証する。さらに他の配置において、弾性膨張部材は、空気注入式キャビティまたは空気袋であってもよい。空気を抜いたときに、舌部１０２は、ヘルメット内に挿入される。挿入時に、使用者は、空気袋を膨らませ、それによって舌部１１２及び取付パネル１０２の位置決めを保証する。
【００２１】
図４を参照すると、装置１００の別の配置が示される。この配置において、ヘルメット取付可能通信ヘッドセット４００が設けられる。ヘルメット取付可能通信ヘッドセット４００は、第２の装置との双方向通信を支持するように構成される無線通信装置４０２を含有する。無線通信装置４０２は、好ましくは、上述したように実質的にマイクロホン及びスピーカーを含有する。例として、無線通信装置４０２は、従来型のBluetoothヘッドセットであってもよい。
【００２２】
詳細に上述されたように、細長舌部１１２は、無線通信装置４０２に貼られている。舌部１１２は、同様に詳細に上述されたように、保護ヘルメットの内側及び外側シェルの間に挿入されるように構成される。
【００２３】
細長舌部１１２は、無線通信装置４０２に電気的に接続されるアンテナ４０４をさらに支持してもよい。それゆえに、アンテナは、舌部上にまたは舌部内にあってもよい。この構成において、アンテナ４０４は、無線通信装置４０２にさらなる且つ高められた伝送及び受信性能をもたらす。図示されないが、詳細に上述された通信ヘッドセットを取り付けるための装置１００は、その細長舌部１１２に上記アンテナ４０４を同じように実施してもよく、それによって、アンテナ４０４は、プリント回路基板１１０に電気的に接続されることを理解するべきである。
【００２４】
図７は、舌部７１２に関する別の配置を図示し、この配置において、舌部は、装置１００からまたは無線通信装置４０２から延在する複数の幅広面７２２，７３２を有する。舌部は、この実施形態に関して、舌部面７２２，７３２双方がヘルメット２００の外側シェル２０２及び内側シェル２０４の間の位置に並んで進められることを除いて、実質的に上述されたように、保護ヘルメット２００内に挿入するためにサイズ付けられ且つ形成される。
【００２５】
図７において、幅広面７２２，７２３は、異なる長さを有するが、それは、単に１つの可能性にすぎない。図８に示されるように、舌部８１２は、実質的に同じ長さで平行に延在する複数の幅広面８２２，８３２（２つが示される）を先と同様に有する。同様に、複数の幅広面を有する舌部は、単一の幅広面として装置１００からまたは無線通信装置４０２からまず離れて延在し、この幅広面は、図に示される複数の幅広面に分岐してもよい。
【００２６】
舌部７１２，８１２には、図４から図６に関連して上述された任意の特性、すなわち、Bluetooth通信、ＦＭ電波受信及び別の周波数域のための１以上のアンテナ４０４、所定の姿勢をとる材料１１３、及び／または膨張部材６０２が設けられてもよい。ヘルメット内に完全に挿入されると、図７及び図８の配置は、図３に示されるような同じ外観を有する。
【００２７】
ブーム１１４の代わりに、図７に同様に示されるマイクロホン１１６は、例えば面ファスナー(hook and loop fastener)などによって、ヘルメット内の任意の場所に直接付着するために可撓性のある電線７１４の端部に配置されてもよい。スピーカー１２０及びマイクロホン１１６に接続する電線の代わりに、図８に同様に示されるジャック８４０がスピーカー及びマイクロホンに作られる電気接点を介して設けられてもよい。
【００２８】
さらなる変形において、図９に示されるように、バッテリーユニット９４２は、装置１００と同じ方法で、または以上で説明されたように舌部１１２，７１２，８１２を有するユニットを設けることによって無線通信装置４０２からヘルメット２００に取り付けられる。電線９４４は、主要ユニット１００／４０２へ電力を伝える。
【００２９】
上述された対象は、解説するのみの目的でもたらされ、制限的として解釈されるべきではない。さまざまな改良及び変更は、例の実施形態及び図示され且つ説明された用途に従うことなく、且つ以下の特許請求の範囲に明記された本発明の真の精神及び範囲から逸脱することなく本明細書で説明された対象に行われる。
【符号の説明】
【００３０】
１００  装置、１０２  取付パネル、１０４  座部、１０６  電気接点、１０８  ガイド、１１０  プリント回路基板、１１２  細長舌部（舌部）、１１４  ブーム、１１６  マイクロホン、１１８  電線、１２０  スピーカー、２００  保護ヘルメット、２０２  外側シェル、２０４  内側シェル、６０２  弾性膨張部材、７２２，８２２  第１舌部面（幅広面）、７３２，８３２  第２舌部面（幅広面）
【図１】
0005734880.tif 000002
【図２】
0005734880.tif 000003
【図３】
0005734880.tif 000004
【図４】
0005734880.tif 000005
【図５Ａ】
0005734880.tif 000006
【図５Ｂ】
0005734880.tif 000007
【図６】
0005734880.tif 000008
【図７】
0005734880.tif 000009
【図８】
0005734880.tif 000010
【図９】
0005734880.tif 000011